(57)【要約】【課題】指先を水で湿らすことなく、袋を引き出す動作だけで口部を簡単に開くことができ、スポンジや濡れタオルの使用を不要にすることができる合成樹脂袋を提供する。【解決手段】扁平にした合成樹脂チューブを用い、合成樹脂シート２ａ、２ｂを二枚重ねにした扁平な筒状胴部２を形成し、この胴部２の一端をシールして底部３とし、他端を口部４とした合成樹脂袋において、前記筒状胴部２を形成する片方の合成樹脂シート２ａのみに、指掛け用孔５を口部４寄りの位置に設ける。【選択図】図１
2007186233.tif 000002
【特許請求の範囲】
【請求項１】
合成樹脂シートを二枚重ねにした扁平な筒状胴部の一端をシールして底部とし、他端を口部とした合成樹脂袋において、前記筒状胴部を形成する片方の合成樹脂シートの口部寄りの位置に指掛け用孔を設けたことを特徴とする合成樹脂袋。
【請求項２】
合成樹脂シートを二枚重ねにした扁平な筒状胴部の一端をシールして底部とし、他端を口部とした合成樹脂袋において、前記筒状胴部を形成する双方の合成樹脂シートの口部寄りの位置に、指掛け用孔を双方の合成樹脂シートで位置を違えて設けたことを特徴とする合成樹脂袋。
【請求項３】
合成樹脂シートを二枚重ねにした扁平な筒状胴部の一端をシールして底部とし、他端を口部とした合成樹脂袋において、前記筒状胴部を形成する片方の合成樹脂シートの口部寄りの位置に、ミシン目で囲んだ指掛け用孔形成部を設けたことを特徴とする合成樹脂袋。
【請求項４】
合成樹脂シートを二枚重ねにした扁平な筒状胴部の一端をシールして底部とし、他端を口部とした合成樹脂袋において、前記筒状胴部を形成する双方の合成樹脂シートの口部寄りの位置に、ミシン目で囲んだ指掛け用孔形成部を両合成樹脂シートで位置を違えて設けたことを特徴とする合成樹脂袋。
【請求項５】
上記合成樹脂袋が、扁平にした長い合成樹脂チューブに、底部をなす幅方向のシール部と、このシール部に近接して平行する切断用ミシン目とを長さ方向に一定間隔で施すことにより、離れた位置にあるシール部と切断用ミシン目の間で形成され、シール部と切断用ミシン目を介して多数が連続する合成樹脂袋がロール状に巻回されていることを特徴とする請求項１乃至４の何れかに記載の合成樹脂袋。
【請求項６】
上記合成樹脂袋が、口部となる他端の両側に提げ手が設けられていることを特徴とする請求項１乃至４の何れかに記載の合成樹脂袋。
【発明の詳細な説明】
【技術分野】
【０００１】
この発明は、例えば、スーパマーケットやドラッグストアー等における小売店において、購入した商品を入れるために用いる場合の他、同様に一般家庭でも家庭用品や食品等を収納するのに用いられる各種形状の合成樹脂袋に関する。
【背景技術】
【０００２】
従来、スーパマーケットやドラッグストアー、量販店等での、商品の購入後における商品収納袋への収納方式は、購入者が商品を店内備付けの籠に入れて会計カウンターに持ち込み、会計のオペレータは計算後の商品を別の籠に入れていき、最終的にこの籠に、購入した商品の量に見合う大きさ及び数の合成樹脂袋である商品収納袋を入れて購入者にわたし、購入者は別の位置にある袋詰め作業台に籠を持って移動し、商品収納袋に購入した商品を自分で入れて持ち帰るようなシステムが採用されている。
【０００３】
ところで、購入した商品を自分で商品収納袋に入れる場合、購入商品が水分のあるものや濡れていたり、冷凍食品や生もの、匂いのきついもの等は、他の商品を汚したり匂いがつかないようにするため、ポリエチレン等の薄い合成樹脂袋に商品を収納した後、これを更に商品収納袋に入れるようにしている。
【０００４】
このため、スーパマーケットやドラッグストアー、量販店等の袋詰め作業台には、台上やその近傍位置に合成樹脂袋を配置しておき、購入者は自由に合成樹脂袋を取出し、これに商品を収納することができるようにしている。
【０００５】
一般的に、上記のような用途に用いられる合成樹脂袋は、扁平にした薄く長い合成樹脂チューブに、底部をなす幅方向のシール部と、このシール部に近接して平行する切断用のミシン目とを長さ方向に一定間隔で施すことにより、離れた位置にあるシール部とミシン目の間で合成樹脂袋が形成され、シール部とミシン目を介して多数が連続する合成樹脂袋をロールからだになるよう巻回した構造になっている。
【０００６】
このような合成樹脂袋は、専用の支持部材にロール体を回転可能となるよう取付けることによって配置し、商品を収納したい人は、ロール体の最先端に位置する合成樹脂袋を指先で摘んで引出し、ミシン目の部分から切離すことによって独立した一枚の合成樹脂袋とし、この合成樹脂袋内に商品を収納するものである。
【０００７】
上記合成樹脂袋は、扁平な筒状胴部の一端がシールによる底部となり、ロール体の状態で引出しのための摘み側となる他端がミシン目に沿った切断縁となり、この切断縁は薄い合成樹脂シートが二枚重ねの密着状態になっているので、重なる合成樹脂シートを引き剥がすようにすることで商品を入れるための口部となる。
【０００８】
このような合成樹脂袋は、商品を入れるために、その都度、切断縁の二枚重ねで密着状態になっている合成樹脂シートを引き剥がして口部を開く作業が必要となる。
【０００９】
しかし、薄い二枚の合成樹脂シートが密着している口部を開く場合、指先と合成樹脂シートの滑り性がよいため、単に指先で合成樹脂袋を摘んで口部を開くのには困難がある。
【００１０】
このような合成樹脂袋や前述した商品収納袋の口部を開く場合に、指先を水で湿らせておけば、指先と合成樹脂シートの滑り性を抑え、密着する二枚の合成樹脂シートを摘んだ指先で二枚の合成樹脂シートの位相をずらす手間をかけることで、口部を容易に開くことができるということは知られている。
【００１１】
このため、スーパマーケットやドラッグストアー、量販店等の袋詰め作業台には、合成樹脂袋の近傍位置に水を含ませたスポンジや濡れタオルを配置しておき、購入者は合成樹脂袋及び商品収納袋の口部を開く前に、スポンジや濡れタオルに指先を触れさせて湿らせ、この湿った指先で合成樹脂袋の口部を開くようにしている。
【発明の開示】
【発明が解決しようとする課題】
【００１２】
しかしながら、水を含ませたスポンジや濡れタオルは、その湿度と快適な室内温度とにより雑菌繁殖の温床となり、不特定多数の人が次々と使用するので極めて不衛生であり、特にスポンジや濡れタオルが雑菌によって汚染されると、これが指先に付着することで雑菌の拡散につながるという危険がある。
【００１３】
このため、スポンジや濡れタオルを定期的に清潔なものと取り換えることが必要になるが、取り換えや洗浄等のために人員を確保しなければならないので、取り換えのために余分なコストを計上しなければならない。
【００１４】
また、スポンジや濡れタオルは不特定多数の人が触れた後という不快感を与えるため、それに触るのを避け、やむを得ず、自分の指先を舐めることを選ぶ人も多く、非衛生的な事態が生じている。
【００１５】
そこで、この発明は、指先を水で湿らすことなく、袋を引き出す動作だけで口部を簡単に開くことができ、濡れスポンジや濡れタオルの使用を不要にすることができる合成樹脂袋を提供することにある。
【課題を解決するための手段】
【００１６】
上記のような課題を解決するため、請求項１の発明は、合成樹脂シートを二枚重ねにした扁平な筒状胴部の一端をシールして底部とし、他端を口部とした合成樹脂袋において、前記筒状胴部を形成する片方の合成樹脂シートの口部寄りの位置に指掛け用孔を設けた構成を採用したものである。
【００１７】
ここで、合成樹脂袋は、ポリエチレン等の扁平にした長い合成樹脂チューブを用い、薄い合成樹脂シートが二枚重ねの密着状態になっている胴部の片方の合成樹脂シートにのみ、口部寄りの位置に一個又は複数の指掛け用の孔を設け、この指掛け用の孔は、指先が収まる程度の大きさになっている。
【００１８】
請求項２の発明は、合成樹脂シートを二枚重ねにした扁平な筒状胴部の一端をシールして底部とし、他端を口部とした合成樹脂袋において、前記筒状胴部を形成する双方の合成樹脂シートの口部寄りの位置に指掛け用孔を、双方の合成樹脂シートで位置を違えて設けた構成を採用したものである。
【００１９】
請求項３の発明は、合成樹脂シートを二枚重ねにした扁平な筒状胴部の一端をシールして底部とし、他端を口部とした合成樹脂袋において、前記筒状胴部を形成する片方の合成樹脂シートの口部寄りの位置に、指先によって突き破ることができるよう、ミシン目で囲んだ指掛け用孔形成部を設けた構成を採用したものである。
【００２０】
請求項４の発明は、合成樹脂シートを二枚重ねにした扁平な筒状胴部の一端をシールして底部とし、他端を口部とした合成樹脂袋において、前記筒状胴部を形成する双方の合成樹脂シートの口部寄りの位置に、ミシン目で囲んだ指掛け用孔形成部を、双方の合成樹脂シートで位置を違えて設けた構成を採用したものである。上記ミシン目で囲んだ指掛け用孔形成部は、指先が収まる程度の大きさになっている。
【００２１】
請求項５の発明は、請求項１乃至４の何れかの発明において、上記合成樹脂袋が、扁平にした長い合成樹脂チューブに、底部をなす幅方向のシール部と、このシール部に近接して平行する切断用のミシン目とを長さ方向に一定間隔で施すことにより、離れた位置にあるシール部と切断用ミシン目の間で形成され、シール部と切断用ミシン目を介して多数が連続する合成樹脂袋がロール状に巻回されている構成を採用したものである。
【００２２】
請求項６の発明は、請求項１乃至４の何れかの発明において、上記合成樹脂袋が、口部となる他端の両側に提げ手が設けられている構成を採用したものである。
【００２３】
また、上記合成樹脂袋には、指掛け用孔や指掛け用孔形成部の存在を明瞭に表示するため、指掛け用孔や指掛け用孔形成部の周囲に表示マークを施したり、シートに着色ライン等を指掛け用孔や指掛け用孔形成部の周縁に達するように施すようにすることができ、更に、指掛け用孔形成部や指掛け用孔を設けない合成樹脂シートの前記指掛け用孔に臨む位置に、「突く」等の文字を印刷すれば、指掛け用孔形成部や丸孔となる指掛け用孔の中に文字が見えて、開口の手順が判り易くなる。
【００２４】
上記合成樹脂袋がロール状に巻回されている場合、切断用ミシン目による切断縁が最先端になり、ロール体から合成樹脂袋を引き出す場合に、合成樹脂袋の指掛け用孔の部分を指先で両面から摘むようにして引き出せば、指先と合成樹脂シートの滑り性によって、指先が引出し方向にずれ動くことで、指先が指掛け用孔に引っかかり、指掛け用孔を設けた合成樹脂シートを引出し方向に引っ張ることで、重なり合う二枚の合成樹脂シートに位相の差ができ、これによって、二枚の合成樹脂シートの切断端縁にずれが生じ、切断用ミシン目でロール体から合成樹脂袋を切離して、切断端縁にずれが生じた部分を開くことによって口部を簡単に開くことができ、この開いた口部から合成樹脂袋内に商品を収納すればよい。
【００２５】
また、合成樹脂袋が独立した袋になっている場合でも、指掛け用孔に指を入れることで、袋の口が同様に簡単に開くことができる。
【発明の効果】
【００２６】
この発明によると、合成樹脂袋の筒状胴部を形成する片方の合成樹脂シートの口部寄りの位置に指掛け用孔を設けたので、ロール巻き又は積層された合成樹脂袋の指掛け用孔の部分に指先を引っかけるか、指先で両面から摘むようにして引き出し、指先と合成樹脂シートの滑り性によって、指先が引出し方向にずれ動くことで、指先を指掛け用孔に引っかけるようにすれば、指掛け用孔を設けた合成樹脂シートを引出し方向に引っ張ることで、重なり合う二枚の合成樹脂シートに位相の差ができ、これによって、口部となる二枚の合成樹脂シートの切断端縁にずれが生じ、切断端縁にずれが生じた部分を開くことによって口部を簡単に開くことができ、口部を開くのに指先を水で湿らす必要がなくなる。
【００２７】
また、合成樹脂袋の筒状胴部を形成する片方の合成樹脂シートの口部寄りの位置にミシン目で囲んだ指掛け用孔形成部を設けたので、指掛け用孔形成部を指先で押し込むようにすると、指掛け用孔形成部を囲むミシン目が破断することで、片方の合成樹脂シートに指掛け用孔が形成されることになり、この指掛け用孔に引っかかった指で片方の合成樹脂シートを引出し方向に引っ張ることで、重なり合う二枚の合成樹脂シートに位相の差ができ、これにより口部にずれが生じ、指を水で湿らすことなく簡単に合成樹脂袋の口部を開くことができる。
【００２８】
更に、合成樹脂袋の口部を開く場合に指先を水で湿らす必要がなくなるので、スーパマーケットやドラッグストアー、量販店等の袋詰め作業台に水を含ませたスポンジや濡れタオルを配置する必要がなくなり、容易に汚れが生じる濡れスポンジや濡れタオルの完全な撤廃によって、汚れたスポンジや濡れオシボリによって起因する衛生上の問題発生を完全に解決できると共に、濡れスポンジや濡れオシボリの設置と管理等に要した経費の削減が可能になり、店舗の清潔感を向上させることができる。
【発明を実施するための最良の形態】
【００２９】
以下、この発明の実施の形態を図示例と共に説明する。
【００３０】
図１乃至図４（ｄ）に示す第１の実施の形態の合成樹脂袋１は、ポリエチレン等の熱可塑性合成樹脂シートを二枚重ねにした扁平な筒状胴部２の一端を熱溶着でシールして底部３とし、他端を口部４とすると共に、前記筒状胴部２を形成する片方の合成樹脂シート２ａの口部４寄りの位置に指掛け用孔５を設け、他方の合成樹脂シート２ｂには穿孔しないようにして形成されている。
【００３１】
図２は、上記合成樹脂袋１の具体的な一例を示し、扁平にした長い合成樹脂チューブに、底部３をなす幅方向のシール部３ａと、このシール部３ａに近接して平行する切断用ミシン目６とを長さ方向に一定間隔で施すことにより、離れた位置にあるシール部３ａと切断用ミシン目６の間で一枚の合成樹脂袋１が形成され、シール部３ａと切断用ミシン目６を介して多数が連続する合成樹脂袋がロール状に巻回されている。
【００３２】
上記指掛け用の孔５を設けるのは、薄い合成樹脂シートが二枚重ねの密着状態になっている胴部２の片方の合成樹脂シート２ａにのみで、口部４寄りの位置に一個又は複数を設け、この指掛け用孔５は、指先が収まる程度の大きさになっている。
【００３３】
上記のようなロール状に巻回された合成樹脂袋１において、合成樹脂シートが二枚重ねの密着状態となる扁平な筒状胴部２の片方の合成樹脂シート２ａのみに指掛け用孔５を設ける好ましい形成方法としては、図４（ａ）のように、長い合成樹脂チューブを用いた製袋工程において、先ず、扁平にした長い合成樹脂チューブの重なり合う二枚の合成樹脂シートに対して、一方折り曲げ縁で口部４（ミシン目）に近い位置に半円形の切り欠き５ａを設ける。
【００３４】
次に、長い合成樹脂チューブを筒状に戻し、この合成樹脂チューブを先の扁平な折畳みと９０°位相を変えて扁平に折畳み、この状態でチューブにシール部３ａとミシン目６を加工して合成樹脂袋１にすればよく、図４（ｂ）のように、前記半円形の切り欠き５ａは両側に開かれ、完成した合成樹脂袋１の胴部２において、片方の合成樹脂シート２ａ幅方向中央に位置した円形指掛け用孔５になる。
【００３５】
また、上記半円形の切り欠き５ａに代えて、図４（ｃ）に示すように、重なり合う二枚の合成樹脂シートに対して、一方折り曲げ縁から内側寄りの位置に円形孔５ｂを打ち抜くようにすれば、図４（ｄ）のように、上記と同様の製袋によって片方の合成樹脂シート２ａのみに二個の指掛け用孔５を形成することができる。
【００３６】
図３は、複数枚の合成樹脂袋１を積み重ねて合成樹脂製外装袋７内に収納し、外装袋７に設けた取出し口８の部分から合成樹脂袋１を引き出すことによって取出すようにした包装形態の例を示し、積み重ねた合成樹脂袋１に設けた指掛け用孔５は、合成樹脂製外装袋７の取出し口８内に臨み、前記指掛け用孔５を設けた部分を指先で摘んで合成樹脂袋１を合成樹脂製外装袋７内から引き出すことができるようになっている。
【００３７】
図示省略したが、上記のような合成樹脂製外装袋７に代えて紙箱を用い、この紙箱に複数枚の合成樹脂袋１を積み重ねて収納した包装形態を採用することができ、合成樹脂袋１は紙箱の上部に設けた取り出し口から引き出すことになる。
【００３８】
図４（ｅ）に示す第２の実施の形態の合成樹脂袋１は、扁平な筒状胴部２を形成する二枚重ねの合成樹脂シートのそれぞれに指掛け用孔５を、双方の合成樹脂シート２ａと２ｂで位置を違えて設けたものである。
【００３９】
この第２の実施の形態の合成樹脂袋１における指掛け用孔５の形成は、扁平にした合成樹脂チューブに図４（ａ）のような切り欠き５ａを両側縁に設け、この後合成樹脂チューブを筒状に戻し、先の扁平な折畳みと所定角度を位相を変えて扁平に折畳むことによって、双方の合成樹脂シートのそれぞれに指掛け用孔５を設けることができる。
【００４０】
また、図４（ｃ）で示したような円形孔５ｂを、扁平にした合成樹脂チューブ２の双方の合成樹脂シート２ａと２ｂに対して幅方向中央に打ち抜き、この後合成樹脂チューブを筒状に戻し、先の扁平な折畳みの場合と所定角度の位相を変えて扁平に折畳むことによって、図４（ｅ）に示したように、双方の合成樹脂シート２ａと２ｂのそれぞれに指掛け用孔５を設けることができる。
【００４１】
図５と図６（ａ）及び図７に示す第３の実施の形態の合成樹脂袋１は、筒状胴部２を形成する双方の合成樹脂シート２ａと２ｂの口部４となる他端側を、中央部に舌片１０と両側の位置に提げ手１１、１１を形成するように曲線的に裁断し、前記舌片１０に、吊下げ用の孔１２とその根元側に切取り用ミシン目１３を施した構造になっている。
【００４２】
この第３の実施の形態の合成樹脂袋１においても、上述した第１及び第２の実施の形態と同様の条件で双方の合成樹脂シート２ａと２ｂに指掛け用の孔５が設けられている。
【００４３】
各実施の形態において、上記した指掛け用の孔５は、指先が収まる程度の大きさになっていると共に、形状は図示のような円形に限ることなく、各種マーク形状や楕円形、多角形、半円形孔等を採用することができ、多角形や半円形等のコーナ部分には、シートに対する裂け止めのための小孔を設けるようにすればよい。
【００４４】
図６（ｂ）に示す第４の実施の形態の合成樹脂袋１は、双方の合成樹脂シート２ａと２ｂを二枚重ねにした扁平な筒状胴部２の一端をシールして底部とし、他端を口部４とした合成樹脂袋１において、前記筒状胴部２を形成する片方の合成樹脂シート２ａの口部４寄りの位置に、指先で押し破ることによって指掛け用の孔を形成するため、ミシン目１４で囲んだ指掛け用孔形成部１５を設けたものである。
【００４５】
上記第４の実施の形態の合成樹脂袋１の他の例として、図４（ｅ）に示す第２の実施の形態の合成樹脂袋１と同様、扁平な筒状胴部２を形成する二枚重ねの合成樹脂シート２ａ、２ｂのそれぞれにミシン目１４で囲んだ指掛け用孔形成部１５を、双方の合成樹脂シート２ａと２ｂで位置を違えて設けた構造とすることができる。
【００４６】
上記ミシン目１４によって囲まれた指掛け用孔形成部１５は、指先が収まる程度の大きさになっていると共に、形状は図示のような円形に限ることなく、各種マーク形状や楕円形、多角形、半円形等を採用することができ、多角形のコーナや半円形等の両端には、シートに対する裂け止めのための小孔を設けるようにすればよい。
【００４７】
上記第４の実施の形態の合成樹脂袋１の基本構造は、上述した第１と第３の実施の形態で示した合成樹脂袋の何れであってもよい。
【００４８】
なお、何れの実施の形態においても、作図上口部４は少し開いた状態で図示したが、実際の合成樹脂袋１の口部４は、双方の合成樹脂シート２ａと２ｂが互に密着して閉じた状態となっている。
【００４９】
また、指掛け用孔５や指掛け用孔形成部１５の存在を明瞭に表示するため、指掛け用孔５や指掛け用孔形成部１５の周囲にこれを囲むように、また、指掛け用孔形成部１５に表示マーク９を施したり、合成樹脂シート２ａ、２ｂに着色ライン９ａ等を指掛け用孔５や指掛け用孔形成部１５の周縁に達するように施すことができ、着色ライン９ａを利用する等してコマーシャルの表示も可能になる。
【００５０】
また、指掛け用孔５を設けない合成樹脂シート２ｂの前記指掛け用孔５に臨む位置や指掛け用孔形成部に、「突く」等の文字を印刷するようにしてもよく、指掛け用孔５の中や指掛け用孔形成部１５に文字が見えて、開口の手順が判り易くなる。
【００５１】
この発明の合成樹脂袋は、上記のような構成であり、次に、図２に示したロール巻き状態で、かつ、指掛け用孔５を設けた合成樹脂袋１を用いて使用の方法を説明する。
【００５２】
上記合成樹脂袋１が、ロール状に巻回されている場合、スーパマーケットやドラッグストアー、量販店等においては、袋詰め作業台上やその近傍位置に、ホルダー等を用いてロール状合成樹脂袋１を回転可能に配置しておき、購入者が自由に合成樹脂袋１を引き出してミシン目６の部分で切断することにより一枚の合成樹脂袋１を切り出し、この合成樹脂袋１に商品を収納することができるようにしてある。
【００５３】
なお、ロール状に巻回されている合成樹脂袋１において、合成樹脂袋１の引き出しは、図２のような上からの引き出しと、これとは逆に下からの引出しがあり、何れにおいても、指掛け用孔５は、引き出した合成樹脂袋１の上側となる合成樹脂シートに設けるようにする。
【００５４】
ロール巻きされた合成樹脂袋１は、切断用ミシン目６による切断縁が最先端になり、ロール巻き状態から合成樹脂袋１を引き出す場合に、図１のように、ロール巻きの最先端に位置する合成樹脂袋１の先端に対して指掛け用孔５の部分に指先を引っかけるようにして引き出すか、指先で両面から摘むようにして引き出し、指先と合成樹脂シート２ｂの滑り性によって、指先が合成樹脂袋１に対して引出し方向にずれ動くことで、指先が指掛け用孔５に引っかかり、これにより、指掛け用孔５を設けた片方の合成樹脂シート２ａを引出し方向に引っ張ることになる。
【００５５】
ロール体から合成樹脂袋１を引き出すとき、指掛け用孔５を設けた片方の合成樹脂シート２ａを引出し方向に引っ張ると、胴部２を形成する重なり合う二枚の合成樹脂シート２ａ、２ｂに引出し方向への位相の差ができ、このため、前記二枚の合成樹脂シート２ａ、２ｂの切断用ミシン目６による切断端縁によって形成された口部４にずれが生じることでこの口部４が開き加減となり、この後、切断用ミシン目６でロール体から合成樹脂袋１を切離し、このずれた切断端縁部分を開くようにすれば口部４を簡単に開くことができ、開いた口部４から合成樹脂袋１内に商品を収納すればよい。
【００５６】
このように、合成樹脂袋１を引き出すとき、指掛け用孔５の部分に指先を引っかけるようにして引き出すだけで口部４にずれが生じ、指を水で湿らすことなく簡単に合成樹脂袋１の口部４を開くことができ、これによって、従来使用していた濡れスポンジや濡れタオルを撤廃することができ、店舗の経費削減と清潔感の向上を図ることができる。
【００５７】
なお、図３で示した複数の積層タイプの合成樹脂袋１の場合も、外装袋７から合成樹脂袋１を引き出すことによって取出す場合、合成樹脂袋１の先端に対して指掛け用孔５の部分を指先で両面から摘むようにして合成樹脂袋１を引き出せばよく、ロール巻きの場合と同様、口部４にずれが生じ、このずれた部分によって、指を水で湿らすことなく簡単に合成樹脂袋１の口部４を開くことができる。
【００５８】
次に、指掛け用孔形成部１５を設けた第４の実施の形態の合成樹脂袋１においては、ロール体から合成樹脂袋１を引き出すとき、合成樹脂袋１の先端を一方の手で保持した状態で、ミシン目１４で囲まれた指掛け用孔形成部１５を他方の手の指先で押し込むようにすると、指掛け用孔形成部１５を囲むミシン目１４が破断することで、片方の合成樹脂シート２ａに指掛け用孔５が形成されることになり、この指掛け用孔５に引っかかった指で片方の合成樹脂シート２ａを引出し方向に引っ張ることで、重なり合う二枚の合成樹脂シート２ａ、２ｂに位相の差ができ、これにより口部４にずれが生じ、指を水で湿らすことなく簡単に合成樹脂袋の口部を開くことができる。
【００５９】
なお、合成樹脂袋１の筒状胴部２を形成する両合成樹脂シート２ａ、２ｂの口部４寄りの位置に、指掛け用孔５又は、ミシン目１４で囲んだ指掛け用孔形成部１５を両合成樹脂シート２ａ、２ｂで位置を違えて設けるようにすると、扁平な合成樹脂袋１の両面の何れからでも片方の合成樹脂シート２ａ又は２ｂを引出し方向に引っ張ることができ、これにより、合成樹脂袋１の表裏の方向性がなくなり、合成樹脂袋１の配置に制限がなくなる。
【図面の簡単な説明】
【００６０】
【図１】第１の実施の形態における合成樹脂袋の引出し状態を示す斜視図
【図２】第１の実施の形態におけるロール巻きタイプの連続した合成樹脂袋を示す一部切り欠き斜視図
【図３】第１の実施の形態における外装袋内に積層して収納したタイプの合成樹脂袋を示す斜視図
【図４（ａ）】第１の実施の形態における合成樹脂袋に一つの指掛け用の孔を形成するため、扁平にした合成樹脂チューブの側縁に半円状の切り欠きを設けた状態の正面図
【図４（ｂ）】一つの指掛け用の孔を形成した合成樹脂袋の正面図
【図４（ｃ）】合成樹脂袋に二つの指掛け用の孔を形成するため、扁平にした合成樹脂チューブの側縁寄りの位置に円形孔を設けた状態の正面図
【図４（ｄ）】二つの指掛け用の孔を形成した合成樹脂袋の正面図
【図４（ｅ）】第２の実施の形態における合成樹脂袋の正面図
【図５】第３の実施の形態における合成樹脂袋を示す斜視図
【図６】（ａ）は第３の実施の形態における合成樹脂袋の平面図、（ｂ）は第４の実施の形態における合成樹脂袋の平面図
【図７】第３の実施の形態における合成樹脂袋の積層した状態を示す斜視図
【符号の説明】
【００６１】
１        合成樹脂袋
２        筒状胴部
２ａ      合成樹脂シート
２ｂ      合成樹脂シート
３        底部
３ａ      シール部
４        口部
５        指掛け用孔
５ａ      半円形の切り欠き
５ｂ      円形孔
６        切断用ミシン目
７        外装袋
８        取出し口
９        表示マーク
９ａ      着色ライン
１０      舌片
１１      提げ手
１２      吊下げ用の孔
１３      切取り用ミシン目
１４      ミシン目
１５      指掛け用孔形成部
【図１】
2007186233.tif 000003
【図２】
2007186233.tif 000004
【図３】
2007186233.tif 000005
【図４（ａ）】
2007186233.tif 000006
【図４（ｂ）】
2007186233.tif 000007
【図４（ｃ）】
2007186233.tif 000008
【図４（ｄ）】
2007186233.tif 000009
【図４（ｅ）】
2007186233.tif 000010
【図５】
2007186233.tif 000011
【図６】
2007186233.tif 000012
【図７】
2007186233.tif 000013